(57)【要約】   【課題】  狭い住宅でも間仕切りを効率良く配置して空間の利用効率が向上できる住宅の間取り変更構造を提供する。  【解決手段】  可動間仕切り４は可動部５とこの可動部５を収納する収納部６からなる。可動部５はスライド自在の複数の仕切り板Ｑ１、Ｑ２・・から成る。トイレの両側壁に可動間仕切り４ａ用と可動間仕切り４ｂ用の収納部６及びキッチン１３とＡＶ機器１４の間に可動間仕切り４ｃ用の収納部６が設けられ、対向する長辺壁１ｂには可動間仕切り４ｄ、４ｅ、４ｆ用の収納部６が設けられる。一方の短辺壁２ａの中心部から離れた玄関ホールの側壁に沿って可動間仕切り４ｇ用の収納部６が設けられ可動部５ｇ１と５ｇ２が収納される。可動部５ａと可動部５ｄを連結し、可動部５ｂと可動部５ｅを連結し、可動部５ｇ１を引き出して位置Ｐ１と位置Ｐ２間に移動する。これらの可動部に囲まれて寝室１７が個室に形成される。【選択図】  図１
2008081974.tif 000002
【特許請求の範囲】
【請求項１】
部屋区画が間仕切りで形成される長辺壁と短辺壁からなる平面視矩形の住宅の間取り変更構造であって、
前記間仕切りは可動部とこの可動部を収納する収納部からなる可動間仕切りで、前記収納部は一対の前記長辺壁の対向する位置にそれぞれ三組と一方の前記短辺壁の中心部から離れた位置に一組設けられ、
前記可動部は前記収納部と脱着自在で、前記短辺壁の収納部には分離自在の二組の可動部が収納されることを特徴とする住宅の間取り変更構造。
【請求項２】
請求項１に記載の住宅の間取り変更構造であって、前記可動間仕切りの可動部はスライド式で天井に備えるレールに懸架されることを特徴とする住宅の間取り変更構造。
【発明の詳細な説明】
【技術分野】
【０００１】
専有面積の狭い住宅において限られた空間を有効に活用するための技術に関し、詳しくは、部屋の使用目的に合わせて間仕切り位置を変更できる住宅の間取り変更構造の技術に関する。
【背景技術】
【０００２】
従来、例えば特許文献１に住宅の間取り変更構造が開示されている。図６（ａ）、図６（ｂ）に示すように、特許文献１の間取り変更構造は、マンション等の集合住宅において、居間Ｌと食堂Ｄが連続した食堂兼居間を居間Ｌと食堂Ｄの中間に可動間仕切りＳを二箇所配置して、居間Ｌと食堂Ｄを別空間にしている。可動間仕切りＳは本棚や収納棚等の家具により構成されており、床から天井までを遮蔽するものである。
【特許文献１】特開２００１−３３６２９３号公報
【発明の開示】
【発明が解決しようとする課題】
【０００３】
しかしながら、従来の上記住宅の間取り変更構造は可動間仕切りＳとして本棚や収納棚等の重い家具を移動する必要があるので、作業が困難であり簡単に間取り変更ができないという問題があった。
【０００４】
また、マンション等の住宅が狭い場合において、二人住まいや不意に来客等で人が増えるような場合に、共同スペースであるトイレ、浴室等を互いの目に触れずに使用できる間取り構造が求められていた。
【０００５】
そこで、本発明は、上記従来の問題点を解消して、狭い住宅でも間仕切りを効率良く簡単に配置して空間の利用効率が向上し、且つプライバシーが確保できる住宅の間取り変更構造を提供することを目的とする。
【課題を解決するための手段】
【０００６】
請求項１の発明は、部屋区画が間仕切りで形成される長辺壁と短辺壁からなる平面視矩形の住宅の間取り変更構造であって、前記間仕切りは可動部とこの可動部を収納する収納部からなる可動間仕切りで、前記収納部は一対の前記長辺壁の対向する位置にそれぞれ三組と一方の前記短辺壁の中心部から離れた位置に一組設けられ、前記可動部は前記収納部と脱着自在で、前記短辺壁の収納部には分離自在の二組の可動部が収納されることを特徴としている。
【０００７】
請求項２の発明は、請求項１に記載の住宅の間取り変更構造であって、前記可動間仕切りの可動部はスライド式で天井に備えるレールに懸架されることを特徴としている。
【発明の効果】
【０００８】
請求項１の発明は、前記収納部は一対の前記長辺壁の対向する位置にそれぞれ三組と一方の前記短辺壁に一組設けられるので、縦横に設けられる前記間仕切りによって部屋配置のバリエーションが多く得られ、種々のニーズに対応して部屋区画を自由に形成できるため狭い住宅でも空間の利用効率が向上する。また、可動間仕切りなので短時間に容易に区画変更できるので手間が掛からない。
【０００９】
また、一方の前記短辺壁の中心部から離れた位置に設けられる一組の前記間仕切りの可動部が隣接する一方の前記長辺壁との間に通路空間を確保することができるので、共同スペースであるトイレ、浴室等を互いの目に触れずに使用できるためプライバシーを守ることができる。
【００１０】
さらに、前記可動部は前記収納部と脱着自在で、前記短辺壁の収納部には分離自在の二組の可動部が収納され、引き出した二組の可動部を別々の空間形成に使用できるので、収納部を一組減らせることにより空間効率が向上する。
【００１１】
請求項２の発明は、前記可動間仕切りの可動部はスライド式で天井に備えたレールに懸架されるので、可動部の引き出しと引き込みが簡単且つ速やかに実施できる。
【発明を実施するための最良の形態】
【００１２】
以下に、本発明の実施形態を図１〜図５に基づいて説明する。
【００１３】
＜住宅の間取り変更構造の構成＞
図１、図２に示すように、一対の長辺壁１ａ、１ｂと一対の短辺壁２ａ、２ｂからなる平面視矩形のマンション等の住宅３に部屋区画用の間仕切りとして可動間仕切り４が設けられる。可動間仕切り４は可動部５とこの可動部５を収納する収納部６からなり、図１において可動部５は収納部６に収納された状態を示す。
【００１４】
住宅３には、長辺壁１ａに沿って短辺壁２ａ側から、玄関ホール１１、トイレ１２、キッチン１３、ＡＶ機器１４が配置されている。短辺壁２ａに沿って玄関ホール１１と長辺壁１ｂの間に洗面所１５と浴室１６が設けられる。さらに、住宅３の長辺壁１ｂ側には浴室から隔てて寝室１７、食堂１８、居間１９としてのそれぞれの空間が設けられる。
【００１５】
可動間仕切り４の収納部６は一対の長辺壁１ａ、１ｂの対向する位置にそれぞれ三組設けられ、トイレ１２の両側壁に沿って可動間仕切り４ａと可動間仕切り４ｂ用、キッチン１３とＡＶ機器１４の間に可動間仕切り４ｃ用のそれぞれの収納部６が立設される。
【００１６】
長辺壁１ｂには可動間仕切り４ｄ用、可動間仕切り４ｅ用、可動間仕切り４ｆ用のそれぞれの収納部６が立設される。さらに、一方の短辺壁２ａの中心部から長辺壁１ａ側に離れた位置である玄関ホールの側壁に沿って可動間仕切り４ｇ用の収納部６が立設される。
【００１７】
いま、可動間仕切り４ａ、４ｄを結ぶ線と可動間仕切り４ｂ、４ｅを結ぶ線と可動間仕切り４ｃ、４ｆを結ぶ線が可動間仕切り４ｇの延長線と交わる点を位置Ｐ１、Ｐ２、Ｐ３とすると、位置Ｐ１、可動間仕切り４ｄ、可動間仕切り４ｅ、位置Ｐ２で囲まれる空間が上記寝室１７である。  
同様に、位置Ｐ２、可動間仕切り４ｅ、可動間仕切り４ｆ、位置Ｐ３で囲まれる空間が上記食堂１８である。さらに、位置Ｐ３、可動間仕切り４ｆ、長辺壁１ｂ、短辺壁２ｂで囲まれる空間が上記居間１９である。
【００１８】
そして、寝室１７と食堂１８と居間１９が可動間仕切り４で囲まれた場合には、その周囲は玄関ホール１１、トイレ１２、洗面所１５、浴室１６を使用するための共通の通路空間となる。
【００１９】
可動間仕切り４の可動部５は複数の仕切り板Ｑ１、Ｑ２、Ｑ３・・・が連結して収納部６から引出されるスライド式で、複数の仕切り板は収納部６から脱着自在である。仕切り板Ｑ１、Ｑ２、Ｑ３・・・は天井に備えるレール２１に図示しないフックで懸架され、引き出し完了状態でそれぞれの仕切り板が面一又は一部オーバーラップする状態となる。
【００２０】
ここで、可動間仕切り４ａ、４ｂ、４ｃ、４ｄ、４ｅ、４ｆの各収納部６にはそれぞれ一組の可動部５ａ、５ｂ、５ｃ、５ｄ、５ｅ、５ｆが収納され、可動間仕切り４ｇの収納部６には二組の可動部５ｇ１、５ｇ２が収納される。それぞれの可動部５はスライド自在の複数の仕切り板Ｑ１、Ｑ２、Ｑ３・・・を一組として構成され、収納部６に脱着自在に取付けられる。
【００２１】
＜住宅の間取り変更構造の作用＞
図３に示すように、可動間仕切り４ａの可動部５ａを収納部６から引き出して移動し可動間仕切り４ｄの引き出された可動部５ｄと連結する。同様に、可動間仕切り４ｂの可動部５ｂを収納部６から引き出して移動し可動間仕切り４ｅの引き出された可動部５ｅと連結する。さらに、可動間仕切り４ｇの収納部６から一組目の可動部５ｇ１を引き出して移動する。
【００２２】
これら複数の可動部５を位置Ｐ１、Ｐ２で位置決めして囲むことで寝室１７の空間のみを閉囲することができるとともに、寝室１７の周囲に通路空間が確保できる。
【００２３】
寝室１７用の扉は可動部５の複数の仕切り板Ｑ１、Ｑ２、Ｑ３・・・の最先端部の仕切り板をスライド開閉することで容易に出入りができる。
【００２４】
このため、二人住まいや来客時にトイレ１２、洗面所１５、浴室１６等を互いの目に触れないで使用することができるのでプライバシーを保つことができる。
【００２５】
図４に示すように、可動間仕切り４ｃの収納部６から可動部５ｃを引き出して可動間仕切り４ｆの引き出された可動部５ｆと連結することにより、長辺壁１a、１ｂ、短辺壁２ｂとで囲まれた居間１９が形成される。この状態の居間１９はＡＶ機器１４を同じ空間として取込んでいる。
【００２６】
このため、邪魔されない静かな空間環境でシアターの雰囲気を満喫することができる。
【００２７】
図５に示すように、可動間仕切り４ｇの収納部６から一組目の可動部５ｇ１を引き出し移動して位置Ｐ３と短辺壁２ａ間まで移動する。この可動部５ｇ１と可動部５ｃと可動部５ｆによって居間１９が形成される。この状態の居間１９はＡＶ機器１４とは別空間である。
【００２８】
さらに、二組目の可動部５ｇ２を引き出し移動して位置Ｐ１と位置２間まで移動する。この可動部５ｇ２と可動部５ａと可動部５ｄ、可動部５ｂと可動部５ｅによって寝室１７が形成される。
【００２９】
この場合、二人住まいや来客時に居間１９が寝室となり各自の個室として使用できて、トイレ１２、洗面所１５、浴室１６等を互いの目に触れないで使用することができる。
【００３０】
以上、本発明の実施形態を図面に基づいて説明したが、上記の実施例はいずれも本発明の一例を示したものであり、本発明はこれらに限定されるべきでないということは言うまでもない。
【００３１】
たとえば、上記、可動間仕切り４の可動部５は天井に備えるレール２１に図示しないフックで懸架されることに加えて、下部にローラーやキャスタを備えることで更に安定した引き出し及び引き込みが行なえる。
【００３２】
また、可動部５はロール状スクリーンでも構わない。
【図面の簡単な説明】
【００３３】
【図１】本発明の実施形態における、住宅の間取り変更構造の平面図である。
【図２】本発明の実施形態における、可動部５と収納部６からなる可動間仕切り４の斜視図である。
【図３】本発明の実施形態における、寝室１７を閉囲する可動間仕切りの状態を示す平面図である。
【図４】本発明の実施形態における、居間１９を閉囲する可動間仕切りの状態を示す平面図である。
【図５】本発明の実施形態における、寝室１７と居間１９を閉囲する可動間仕切りの状態を示す平面図である。
【図６】従来例における、（ａ）は居間Ｌと食堂Ｄが連続した空間の状態、（ｂ）は居間Ｌと食堂Ｄが別空間の状態を示す平面図である。
【符号の説明】
【００３４】
１ｂ  長辺壁
２ａ  短辺壁
４  可動間仕切り
４ａ  可動間仕切り
４ｂ  可動間仕切り
４ｃ  可動間仕切り
４ｄ  可動間仕切り  
４ｅ  可動間仕切り
４ｆ  可動間仕切り
４ｇ  可動間仕切り
５  可動部
５ａ  可動部
５ｂ  可動部
５ｄ  可動部
５ｅ  可動部
５ｇ１  可動部
５ｇ２  可動部
６  収納部
１３  キッチン
１４  ＡＶ機器
１７  寝室
Ｐ１  位置
Ｐ２  位置
Ｑ１  仕切り板  
Ｑ２  仕切り板  
【図１】
2008081974.tif 000003
【図２】
2008081974.tif 000004
【図３】
2008081974.tif 000005
【図４】
2008081974.tif 000006
【図５】
2008081974.tif 000007
【図６】
2008081974.tif 000008